(57)【要約】ハウジング、扉、及び少なくとも１つのアームを備える小型容器ホルダーである。アームは、扉に、リンク部によって連結することができ、このリンク部は、対向する２つのピボットをも連結する。対向している２つのピボットは、容器ホルダーを１つの操作可能な動きで完全に開閉できるようにすることができ、簡単かつ高い信頼性で開閉する容器ホルダーを提供する。
2006522714.tif 000002
【特許請求の範囲】
【請求項１】
容器ホルダーであって、
ハウジングと、
前記ハウジングに旋回可能に連結された扉と、
前記ハウジングに旋回可能に連結された少なくとも１つのアームと、
少なくとも１つのリンク部であって、前記扉に旋回可能に連結されている第１端部及び前記アームに旋回可能に連結されている第２端部を有するリンク部と、
を備える容器ホルダー。
【請求項２】
前記扉が、前記ハウジングに扉ピボットにおいて旋回可能に連結されており、
前記アームが、前記ハウジングにアームピボットにおいて旋回可能に連結されており、
前記リンク部の第１端部が、前記扉に、リンク部−扉ピボットにおいて旋回可能に連結されており、かつ、前記リンク部の第２端部が、前記アームに、リンク部−アームピボットにおいて旋回可能に連結されており、
前記リンク部−扉ピボットが前記扉ピボットまわりに回転し、前記リンク部−アームピボットが前記アームピボットまわりに回転する、請求項１に記載の容器ホルダー。
【請求項３】
前記リンク部−扉ピボットが、前記扉ピボットまわりに、前記リンク部−アームピボットが前記アームピボットまわりに回転する方向と反対の方向に回転する、請求項２に記載の容器ホルダー。
【請求項４】
前記ハウジングが、少なくとも１つのハウジング側面を有し、
前記アームが、前記ハウジング側面に旋回可能に連結されている、請求項１に記載の容器ホルダー。
【請求項５】
前記扉が、少なくとも１つの扉側面を有し、
前記扉側面が、前記ハウジング側面に前記扉ピボットにおいて旋回可能に連結されている、請求項４に記載の容器ホルダー。
【請求項６】
前記「少なくとも１つのアーム」が２つのアームからなり、前記２つのアームの各々が、間隔をあけた位置で前記ハウジングに旋回可能に連結されており、前記「少なくとも１つのリンク部」は２つのリンク部からなり、前記２つのリンク部の各々が、間隔をあけた位置で前記扉に旋回可能に連結された第１端部と、前記アームに旋回可能に連結された第２端部とを有する、請求項１に記載の容器ホルダー。
【請求項７】
前記扉が、前記ハウジングに、２つの、間隔をあけて配置された扉ピボットを使用して旋回可能に連結されており、
前記アームが、前記ハウジングに、間隔をあけて配置されたアームピボットにおいて旋回可能に連結されており、
前記リンク部の第１端部が、各々、前記扉に、間隔をあけて配置されたリンク部−扉ピボットにおいて旋回可能に連結されており、前記リンク部の第２端部の各々が、それぞれのアームにリンク部−アームピボットにおいて旋回可能に連結されており、
各リンク部上の前記リンク部−扉ピボットが、扉ピボットまわりに回転し、各アーム上の前記リンク部−アームピボットが、アームピボットまわりに回転する、請求項６に記載の容器ホルダー。
【請求項８】
各リンク部上の前記リンク部−扉ピボットが、扉ピボットまわりに、前記リンク部上の前記リンク部−アームピボットがアームピボットまわりに回転する方向と反対の方向に回転する、請求項７に記載の容器ホルダー。
【請求項９】
前記ハウジングが、少なくとも２つの、ほぼ反対側にあるハウジング側面を有し、
１つのアームが、前記ほぼ反対側にあるハウジング側面の少なくとも一方に旋回可能に連結されている、請求項６に記載の容器ホルダー。
【請求項１０】
前記扉が、少なくとも２つの、ほぼ反対側にある扉側面を有し、
前記少なくとも２つの、ほぼ反対側にある扉側面が、各々、前記少なくとも２つの、ほぼ反対側にあるハウジング側面に、間隔をあけて配置された扉ピボットにおいて、旋回可能に連結されている、請求項９に記載の容器ホルダー。
【請求項１１】
容器ホルダーであって、
ハウジングと、
前記ハウジングに少なくとも１つの扉ピボットにおいて旋回可能に連結された扉と、
前記ハウジングにアームピボットにおいて旋回可能に連結された少なくとも１つのアームと、
少なくとも１つのリンク部であって、前記扉にリンク部−扉ピボットにおいて旋回可能に連結された第１端部及び前記アームにリンク部−アームピボットにおいて旋回可能に連結された第２端部を有し、前記リンク部−扉ピボットが前記扉ピボットまわりに回転し、前記リンク部−アームピボットが前記アームピボットまわりに回転するリンク部と、
を備え、
前記リンク部−扉ピボットが、前記扉ピボットまわりに、前記リンク部−アームピボットが前記アームピボットまわりに回転する方向と反対の方向に回転する、容器ホルダー。
【請求項１２】
前記ハウジングが、少なくとも１つのハウジング側面を有し、
前記アームが、前記ハウジング側面に前記アームピボットにおいて旋回可能に連結されている、請求項１１に記載の容器ホルダー。
【請求項１３】
前記扉が、少なくとも１つの扉側面を有し、
前記扉側面が、前記ハウジング側面に前記扉ピボットにおいて旋回可能に連結されている、請求項１２に記載の容器ホルダー。
【請求項１４】
前記容器ホルダーが、さらに、
前記ハウジングに間隔をおいて配置された２つの扉ピボットにおいて旋回可能に連結された扉と、
前記ハウジングに、間隔をおいて配置されたアームピボットにおいて旋回可能に連結された２つのアームと、
間隔をおいて配置された２つのリンク部であって、各々が、前記扉に、リンク部−扉ピボットにおいて旋回可能に連結された第１端部、及び、アームに、リンク部−アームピボットにおいて旋回可能に連結された第２端部を有し、前記リンク部−扉ピボットが前記扉ピボットまわりに回転し、前記リンク部−アームピボットが前記アームピボットまわりに回転するリンク部と、
を備え、
前記リンク部−扉ピボットが、前記扉ピボットまわりに、前記リンク部−アームが前記アームピボットまわりに回転する方向と反対の方向に回転する、請求項１１の容器ホルダー。
【請求項１５】
前記ハウジングが、少なくとも２つの、ほぼ反対側にあるハウジング側面を有し、
前記アームの各々が、前記ハウジング側面の各々に、前記アームピボットにおいて、旋回可能に連結されている、請求項１４に記載の容器ホルダー。
【請求項１６】
前記扉が、少なくとも２つの、ほぼ反対側にある扉側面を有し、
前記少なくとも２つのほぼ反対側にある扉側面が、各々、前記少なくとも２つのほぼ反対側にあるハウジング側面に、間隔をおいて配置された扉ピボットにおいて旋回可能に連結されている、請求項１５に記載の容器ホルダー。
【発明の詳細な説明】
【技術分野】
【０００１】
本発明は小型容器ホルダーに関し、より具体的には、簡単かつ高い信頼性で機能する容器ホルダーに関するものである。
【背景技術】
【０００２】
車で使用した場合、（カップホルダーのような）容器ホルダーは、容器を都合のよい場所に確実に保持することで、車の安全性を高めることができる。小型で簡単に利用できる容器ホルダーにより、運転手や他の乗車者は、車を運転するなど、容器を保持すること以外のことに集中できるようになるかも知れない。さらに、簡単で信頼性の高い容器ホルダーにより、車の所有者や製造者は、お金のかかる修理の費用や時間を節約するかも知れない。
【０００３】
したがって、開閉時に、簡単かつ高い信頼性で機能する小型容器ホルダーに対するニーズがある。
【０００４】
（発明の開示）
上記のように、本発明は、簡単かつ高い信頼性で開閉できる小型容器ホルダーに向けられている。したがって、典型的な実施形態は、ハウジングと、ハウジングに扉ピボットにおいて旋回可能に連結された扉と、ハウジングにアームピボットにおいて旋回可能に連結されたアームと、扉にリンク部−扉ピボットにおいて旋回可能に連結された第１端部、及び、アームにリンク部−アームピボットにおいて旋回可能に連結された第２端部を有するリンク部とを備える。この実施形態では、リンク部−扉ピボットが扉ピボットまわりに回転し、リンク部−アームピボットがアームピボットまわりに回転し、これにより、扉及びアームが反対方向に回転して開く。本発明は、小型容器ホルダーであって、簡単かつ高い信頼性で、一つの制御可能な動きで開閉できるものを考慮したものである。
【０００５】
本発明の典型的な実施形態をここに図面を参照しながら説明する。
【発明を実施するための最良の形態】
【０００６】
図１及び２に示すように、容器ホルダー１００はハウジング１１０を備えている。ハウジング１１０は、少なくとも１つのハウジング側面１１５を有してもよい。ハウジング１１０はさらに、例えばダッシュボード、センターコンソール、又はドアの内部のような、車内のコンポーネントに嵌めることができるように造られてもよい。
【０００７】
図１及び２に示すように、扉１２０は、扉ピボット１８０において、ハウジング１１０に連結できる。扉１２０は、さらに、少なくとも１つの扉側面１２５を有することがある。扉１２０は、いくつかの機能を果たすかもしれない。図１に描かれているように、開位置まで扉１２０を回転させて、容器ホルダー１００を簡単かつ高い信頼性で開くことができる。同様に、図２に描かれているように、扉１２０を閉位置まで回転させて、容器ホルダー１００を簡単かつ高い信頼性で閉じることができる。図３に描かれているような閉位置では、扉１２０が容器ホルダー１００を、特に、アーム又は複数のアーム１４０と、リンク部又は複数のリンク部１３０とを損傷から保護し得る。さらに、閉位置では、扉１２０が、好ましくは丈夫で連続した露出面を提供し、この露出面を車のインテリアを完成させる（際立たせる）ようなデザインにすることができるかもしれない。図１に描いたような開位置では、扉１２０がさらに容器の支持を補助し得る。
【０００８】
再び図１及び２を参照すると、アーム１４０がハウジング１１０にアームピボット１５０において連結されている。典型的な実施形態では、第１及び第２のアーム１４０があり、各々が間隔を開けた位置において、ハウジングに旋回可能に取り付けられてもよい。もっとも、容器ホルダーがアーム１４０を１つだけ、又はアーム１４０を任意の数だけ有することも可能である。さらに、例えば、どのような荷重が求められており、どのような強度の材料が用いられているかにより、２つ以上のアーム１４０を１つのアームピボット１５０に連結することもまた可能である。アーム１４０は、容器の支持又は容器ホルダー１００の開閉を容易にするような形にしてもよく、又は（例えば、ばねにより）付勢してもよい。
【０００９】
第１端部１９０及び第２端部２００を有するリング部１３０で扉１２０をアーム１４０に連結することができる。この実施形態では、リンク部１３０を単一で剛体の部材として描いているが、リンク部１３０は、例えば、違う形状にすることがある。好ましくは、第１及び第２のリンク部１３０があるであろう。もっとも、容器ホルダーがリンク部１３０を１つだけ又はリンク部１３０を任意の数有することも可能である。
【００１０】
リンク部１３０の第１端部１９０は、扉１２０に、リンク部−扉ピボット１７０において連結することができる。図１に示すように、扉１２０を開位置へと動かすにつれ、リンク部−扉ピボット１７０は、扉ピボット１８０の近くに大きな矢印で示したように、扉ピボット１８０まわりに、第１の回転方向に、回転することができる。さらに図１に示すように、リンク部１３０の第２端部２００は、アーム１４０に、リンク部−アームピボット１６０において連結することができる。リンク部−扉ピボット１７０が扉ピボット１８０まわりに回転することにより、リンク部−アームピボット１６０がアームピボット１５０まわりに回転することができ、その回転方向は、アームピボット１５０の近くの大きな矢印で示したように、扉ピボット１８０まわりのリンク部−扉ピボット１７０の回転方向とは反対である。
【００１１】
リンク部−扉ピボット１７０の扉ピボット１８０まわりの回転に応じて、かつ、その回転と反対方向に、リンク部−アームピボット１６０がアームピボット１５０まわりに回転すると、アーム又は複数のアーム１４０を扉１２０が回転する方向と反対の方向に回転させることができる。扉１２０の回転に応じてリンク部−アームピボット１６０及びアーム１４０が回転すると、容器ホルダーを制御可能な一つの動きで開閉することできる。さらに、アーム１４０及び扉１２０の回転方向が反対であるので、より小型のデザインを考慮して、アーム１４０を閉位置で扉１２０の中に折りたたむことができる。
【００１２】
典型的な実施形態によれば、アーム１４０及び扉１２０が反対方向に回転できるのは、リンク部−アームピボット１６０のアームピボット１５０に対する位置が、リンク部−扉ピボット１７０の扉ピボット１８０に対する位置と反対だからである。リンク部１３０は、これら反対側にある２つのピボットを連結して、扉１２０が回転して、リンク部−扉ピボット１７０を扉ピボット１８０まわりに第１の回転方向に回転させたら、リンク部１３０がそれに応じてリンク部−アームピボット１６０をアームピボット１５０まわりに第２の、反対の回転方向に回転させることができるようにする。
【００１３】
さらに説明すると、図１に描いたように、扉１２０が開位置に向けて回転するとき、扉１２０は、扉ピボット１８０まわりに、第１の回転方向に回転できる。同様に、リンク部−扉ピボット１７０もまた開位置に向かって、扉ピボット１８０まわりに、第１の回転方向に回転することができる。一方、（扉１２０にリンク部１３０によって連結されている）リンク部−アームピボット１６０は、開位置に向かって、アームピボット１５０まわりに、第２の、反対の回転方向に回転することができる。同様に、アーム１４０もまた、開位置に向かって、アームピボット１５０まわりに、第２の回転方向に回転することができる。
【００１４】
同じように、図２に描かれているように、扉１２０が閉位置に向かって回転すると、扉１２０は、扉ピボット１８０まわりに、第２の回転方向に回転することができる。同様に、リンク部−扉ピボット１７０もまた閉位置に向けて、扉ピボット１８０まわりに、第２回転方向に回転することができる。一方、（扉１２０にリンク部１３０によって連結されている）リンク部−アームピボット１６０は、閉位置に向かって、アームピボット１５０まわりに、第１の、反対の回転方向に回転することができる。同様に、アーム１４０もまた閉位置に向かって、アームピボット１５０まわりに、第１の回転方向に回転することができる。
【００１５】
図１及び２には、扉側面１２５に連結したリンク部１３０が描かれている。しかしながら、リンク部１３０は、リンク部−扉ピボット１７０の軸が扉ピボット１８０の軸のまわりを回転するという条件で、扉１２０のどこででも扉１２０に連結することができる。さらに、図１及び２には、ハウジング側面１１５に連結した扉ピボット１８０が描かれている。しかしながら、扉ピボット１８０は、リンク部−扉ピボット１７０の軸が扉ピボット１８０の軸のまわりを回転するという条件で、ハウジング１１０のどこに連結してもよい。同様に、リンク部−アームピボット１６０の軸がアームピボット１５０の軸のまわりを回転できるという条件で、アームピボット１５０はハウジング１１０に、リンク部−アームピボット１６０は、アーム（又は複数のアーム）１４０にそれぞれハウジング１１０及びアーム（又は複数のアーム）１４０のどこで連結してもよい。ピボットが互いに同一平面内で回転することは必須ではなく、ピボットの軸が互いのまわりを回転できるということのみが必要である。さらに、ピボットという言葉は、本明細書及び特許請求の範囲で使用する限りにおいては、ピボット、ヒンジ、並びに、構造部材が回転したりねじれたりできるようにする他の接続装置及び柔軟な装置が網羅されるように広く解釈されるべきである。
【００１６】
２つ以リンク部１３０を使用する場合、これらのリンク部は、扉１２０及びハウジング１１０にアーム１４０を用いて、リンク部１３０が縦一列に並んで動作できるように旋回可能に取り付けられてもよい。これらのリンク部は、お互いに隣り合わせに取り付けてもよいし、間隔を開けた位置に、間隔をおいて配置されたピボット、扉ピボット、リンク部−アームピボット、及びリンク部−扉ピボットを用いて取り付けてもよい。例えば、２つのリンク部１３０をほぼ反対側にあるハウジング側面１１５上と、ほぼ反対側にある扉側面１２５上とでアーム１４０に旋回可能に取り付けて扉１２０を支持するようにしてもよい。
【００１７】
容器ホルダー１００の他の実施形態も可能である。例えば、図４は、２つの容器を保持できる２連式小型容器ホルダー２１０を示している。典型的な実施形態では、この２連式小型容器ホルダー２１０は、４つのアーム１４０と、３つのリンク部１３０とを有してもよい。アーム１４０及びリンク部１３０の（例えば、３つのアーム１４０と、４つのリンク部１３０とを有する２連式小型容器ホルダー２１０のような）他の構成も可能である。図１又は２の小型容器ホルダー１００と同様に、この２連式小型容器ホルダー２１０は制御可能な一つの動きで開閉することができる。さらに、図１及び２の小型容器ホルダー１００と同様に、２連式容器ホルダー２１０のアーム１４０及び扉１２０は、反対の回転方向に回転して、より小型のデザインを考慮して、アーム１４０を閉位置にある扉１２０の中に折りたたむことができるようにする。
【００１８】
以上、本発明のいくつかの典型的な実施形態を説明した。もっとも、当業者には、これらの実施形態を、特許請求の範囲で定義されている本発明の真の範囲及び趣旨から逸脱することなく変更又は修正できることが分かるであろう。
【図面の簡単な説明】
【００１９】
【図１】図１は、開位置へ回転している小型容器ホルダーの等角投影図である。
【図２】図２は、閉位置へ回転している小型容器ホルダーの等角投影図である。
【図３】図３は、閉位置の小型容器ホルダーの等角投影図である。
【図４】図４は、２連式小型容器ホルダーの等角投影図である。
【図１】
2006522714.tif 000003
【図２】
2006522714.tif 000004
【図３】
2006522714.tif 000005
【図４】
2006522714.tif 000006
【国際調査報告】
2006522714.tif 000007
2006522714.tif 000008
2006522714.tif 000009